(57)【要約】      （修正有）【課題】コストを嵩ませることなく、布地にクロスステッチ等の刺繍を容易に形成すると共に、型紙を使用することなく容易にかつ迅速に模様の刺繍を行うことができる刺繍用シートを提供する。【解決手段】刺繍用シート１０は、水溶性紙１１の表面側Ａに水溶性インク１２により、刺繍を行なう際の縫製作業の基準となる表示としての格子パターン１３が印刷されると共に、裏面側には布材へ固定することができる貼着部が水溶性紙１１の全面に亘って形成されている。上記水溶性紙１１の裏面側には、上記貼着部を保護すると共に必要時には剥離できる台紙１５が貼付されている。水溶性紙１１は全体長方形状に形成されると共に、上記台紙１５は、上記水溶性紙１１よりも僅かに大きい長さ及び幅寸法に形成されている。【選択図】図１
0003156730.tif 000002
【実用新案登録請求の範囲】
【請求項１】
水溶性紙の表面側に水溶性インクにより刺繍を行なう際の縫製作業の基準となる表示が印刷されると共に、裏面側には被縫製材へ固定することができる貼着部が形成されていることを特徴とする刺繍用シート。
【請求項２】
上記表示は、一定の等間隔を置いて多数配置されたドットにより形成されていることを特徴とする請求項１記載の刺繍用シート。
【請求項３】
上記多数配置された各ドットは相互に線で結合されていることを特徴とする請求項２記載の刺繍用シート。
【請求項４】
上記表示は、模様であることを特徴とする請求項１記載の刺繍用シート。
【請求項５】
上記水溶性紙の裏面側には、上記貼着部を保護すると共に必要時には剥離できる台紙が貼付されていることを特徴とする請求項１記載の刺繍用シート。
【考案の詳細な説明】
【技術分野】
【０００１】
本考案は、刺繍用シートに係り、特に、被縫製材等の上に容易に刺繍を施すことができる刺繍用シートに関する。
【背景技術】
【０００２】
一般に、例えば、クロスステッチ等の、布上に、布目をカウントしながら刺繍を形成する、いわゆる「カウントステッチ」を施す場合には、刺繍用型紙が使用される場合がある。
【０００３】
このような刺繍用型紙は、例えば、特許文献１に示すような方眼紙の枡目でクロスステッチ刺繍を施す布の各織り目を指示するように構成したものが提案されている。
しかしながら、このような従来のクロスステッチ刺繍用型紙にあっては、刺繍を施した後には、ハサミ又はカッターを用いて型紙を切除する必要があり作業者には煩雑であった。
【０００４】
一方、例えば、特許文献２には、クロスステッチ等の刺繍を立体的に作製できる刺繍用シートが開示されている。
このような従来の刺繍用シートは、合成紙又は厚紙等の素材からなるシート状基材の一部に内径０．４ｍｍ〜１．５ｍｍの貫通孔がマトリックス状に多数設けられている。実際に使用する場合には、適宜の大きさにシート状基材をハサミにより切断してシート片を形成し、上記シート基材上に刺繍糸を用いて積層し、上記貫通孔に針及び糸を通し、クロスステッチやサテンステッチ等の様々な欧風刺繍を施すように構成されている。
【０００５】
このような従来の刺繍用シートは、針と糸により縫製して立体的な刺繍絵を形成するために使用されるものであり、被縫製材等の上にクロスステッチ等の刺繍を容易に形成するために使用されるものではない。
【０００６】
また、従来の刺繍用シートの貫通孔はマトリックス状に配列された抜き刃を有する抜き型を使用して形成するものであり、製造工数及び製造コストが嵩むものであった。従って、従来より、コストを低減しつつ、布上に容易にクロスステッチ等の刺繍を施したい、という要請があった。
さらに、クロスステッチ等のいわゆるカウントステッチではなく、例えば、動物等を模った一般の刺繍を行なうような場合に、型紙を除去することの煩雑さから、別途、動物等の型紙を用いることなく、かつ希望する模様の流麗な刺繍を行ないたい、という要請があった。
【特許文献１】実開昭５７−２００５９５号
【特許文献２】実開平６−３９９９０号
【考案の開示】
【考案が解決しようとする課題】
【０００７】
本願考案の課題は、このような従来の課題に応えるものであって、その課題は、コストを嵩ませることなく、布地にクロスステッチ等の刺繍を容易に形成すると共に、型紙を使用することなく容易かつ迅速に模様の刺繍を行うことにある。
【課題を解決するための手段】
【０００８】
上記課題を解決するために、請求項１の考案にあっては、水溶性紙の表面側に水溶性インクにより刺繍を行なう際の縫製作業の基準となる表示が印刷されると共に、裏面側には被縫製材へ固定することができる貼着部が形成されていることを特徴とする。
【０００９】
従って、請求項１記載の考案にあっては、刺繍を施そうとする被縫製材へ本考案に係る水溶性紙を、裏面側に配設された貼着部により固定し、上記表示を利用して、例えば、クロスステッチを被縫製材上に施す。その後、上記被縫製材を水に付けることにより水溶性インク及び水溶性紙を融解させ、刺繍のみを布上に残すことができる。
【００１０】
請求項２記載の考案にあっては、上記表示は、一定の等間隔を置いて多数配置されたドットにより形成されていることを特徴とする。
従って、請求項２記載の考案にあっては、上記ドットを目安として針を打ち込み、糸で縫うことにより縫製作業を行うことができる。
【００１１】
請求項３記載の考案にあっては、上記多数配置された各ドットは相互に線で結合されていることを特徴とする。
請求項４記載の考案にあっては、上記表示は模様であることを特徴とする。
請求項５記載の考案にあっては、上記水溶性紙の裏面側には、上記貼着部を保護すると共に必要時には剥離できる台紙が貼付されていることを特徴とする。
従って、請求項５記載の考案にあっては、使用時には上記台紙を剥離させて上記貼着部を露出させて、上記貼着部により被縫製材へ固定して縫製作業を行う。
【考案の効果】
【００１２】
請求項１記載の考案にあっては、刺繍を施そうとする被縫製材へ本考案に係る水溶性紙を、裏面側に配設された貼着部により固定し、上記縫製作業を行う際の基準となる表示を利用して、刺繍を被縫製材上に施す。その後、上記被縫製材を水に付けることにより水溶性紙を融解させることにより、刺繍のみを被縫製材上に残すことができる。
従って、使用者は、上記表示を利用することにより、正確な刺繍を被縫製材に施すことができると共に、刺繍を施した後は、水溶性紙を融解させることにより被縫製材から迅速に消去せしめて刺繍を布状に残すことができる。
【００１３】
その結果、請求項１記載の考案によれば、容易かつ迅速に被縫製材にクロスステッチ等の刺繍を形成することができる。
また、請求項１記載の考案にあっては、水溶性インクを水溶性紙に印刷することにより上記表示を形成するものであり、従来のように、抜き刃を有する抜き型を使用して多数の格子状の貫通孔を形成する必要はないことから、製造コストを低減することができる。
また、請求項２記載の考案にあっては、多数配置されたドットを利用することにより刺繍を施す際の縫製作業を行うことができることから、特に、クロスステッチ等のカウントステッチにより正確な縫製作業を行うことができる。
【００１４】
請求項３記載の考案にあっては、表示を構成する各ドットが相互に線で結合されていることから、模様により形成される刺繍を行なう場合に、図柄等の構成が容易となり、使いやすい刺繍用シートを提供することができる。
請求項４記載の考案にあっては、上記表示は模様により構成されていることから、各種の模様からなる刺繍を被縫製材上に施すことができる。
請求項５記載の考案にあっては、請求項１記載の考案の効果に加えて、上記台紙により裏面側の貼着部が保護された状態で販売され、購入した使用者は、使用時には、上記台紙を容易かつ迅速に剥離させて使用するができるため、使いやすい刺繍用シートを提供することができる。
【図面の簡単な説明】
【００１５】
【図１】本考案に係る刺繍用シートの一実施の形態を示す平面図である。
【図２】本考案に係る刺繍用シートの一実施の形態を示し、水溶性紙の裏面側の台紙を剥離させる状態を示す斜視図である。
【図３】本考案に係る刺繍用シートの一実施の形態であって、本考案に係る刺繍用シートを使用してシャツにクロスステッチを施す場合を説明する図である。
【考案を実施するための最良の形態】
【００１６】
図１に示すように、本実施の形態に係る刺繍用シート１０は、水溶性紙１１の表面側Ａに水溶性インク１２により、刺繍を行なう際の縫製作業の基準となる表示としての格子パターン１３が印刷されると共に、図２に示すように、裏面側Ｂには布材へ固定することができる貼着部１４が水溶性紙１１の全面に亘って形成されている。本実施の形態にあっては、上記水溶性紙１１は不織布により形成されている。
【００１７】
上記水溶性紙１１の裏面側Ｂには、上記貼着部１４を保護すると共に必要時には剥離できる台紙１５が貼付されている。
水溶性紙１１は全体長方形状に形成されると共に、上記台紙１５は、上記水溶性紙１１よりも僅かに大きい長さ及び幅寸法に形成されている。本実施の形態にあっては、水溶性紙１１は、幅２０．５ｃｍ、長さ２９．３ｃｍであって、台紙１５は、幅寸法は水溶性紙１１と同一、長さ寸法は２９．８ｃｍに形成されている。
また、上記水溶性紙１１の表面側Ａに印刷された格子パターン１３は、１インチに１４目が形成される大きさに形成されている。
【００１８】
本実施の形態にあっては、例えば、上記水溶性インク１２には、青色のシルクスクリーン用インキが使用され、原料組成は、チオシアン酸コバルト、ポリエチレングリコール、エチレングリコールモノステアレート及び精製水である。また、上記水溶性紙１１は、原料はポリビニールアルコールであって、商品名「キルターズシークレット」（日本バイリーン株式会社製造）として市販されているものが使用される。
【００１９】
従って、本実施の形態に係る刺繍用シート１０を使用する場合には、図２に示すように、刺繍用シート１０を構成する水溶性紙１１を、水溶性紙１１の裏面側Ｂに貼付されている台紙１５から剥離させて、貼着部１４を露出させる。
【００２０】
その後、図３に示すように、クロスステッチ等のいわゆる「カウントステッチ」の刺繍を施そうとする布材１６の表面の所定箇所に、台紙１５から剥離させた水溶性紙１１を貼着して固定させ、水溶性紙１１の表面側Ａに印刷されている格子用パターン１３の各格子の目１７を基準にして等間隔に針を打ち込みクロスステッチ１８を形成し、様々な模様１９を縫製する。
【００２１】
希望する模様１９が形成された場合には、布材１６を水に漬け込むことにより上記水溶インク１２及び水溶紙１１を溶融させて模様１９のみを布材１６上に残す。これによりクロスステッチ等のいわゆる「カウントステッチ」を容易に布材上に作成することができる。
【００２２】
本実施の形態に係る刺繍用シート１０にあっては、刺繍による模様作成後には、水溶性インク１２及び水溶紙１１を溶融させることができることから、従来のように、模様を作成した後に、刺繍用台紙をハサミやカッター等により切除する煩わしがなく、誰もが容易に布材等の上にクロスステッチ等の刺繍を施すことができる。
【００２３】
本実施の形態にあっては、上記表示が格子パターン１３により構成されている場合を例に説明したが、上記実施の形態に限定されず、一定の等間隔を置いて多数配置されたドットのみにより形成されているものであってもよい。さらに、上記表示は、刺繍により縫製して形成する動物等の模様であってもよい。
このように表示が水溶性インクによって、刺繍により縫製して形成する動物等の模様により形成されている場合には、動物等の模様を容易かつ迅速に刺繍により形成することができる。  
【産業上の利用可能性】
【００２４】
本考案は、広く刺繍用シートに適用することができる。
【符号の説明】
【００２５】
１０  刺繍用シート
１１  水溶紙
１２  水溶性インク
１３  格子パターン
１４  貼着部
１５  台紙
１６  布材
１７  格子の目
１８  クロスステッチ
１９  模様
Ａ    表面側
Ｂ    裏面側  
【図１】
0003156730.tif 000003
【図２】
0003156730.tif 000004
【図３】
0003156730.tif 000005